(57)【要約】【課題】  ツータッチ操作のカーテンレール用ブラケットにおいて、仮止め時及び固定時のカーテンレールの安定性を向上させる。【解決手段】  本体と、本体の底面にカーテンレールに対して長手方向には直角に上下方向には斜めに摺動するように設けられる爪体と、爪体を本体にねじ止め固定する固定ねじと、爪体に設けられてカーテンレール両耳部の一方側を引掛け支持する爪体側耳受け部と、本体に設けられてカーテンレールの両耳部の他方側を引掛け支持する本体側耳受け部と、同じく本体に設けられてカーテンレール両耳部の一方側を引掛け支持する仮止め耳受け部とからなるカーテンレール用ブラケットにおいて、仮止め耳受け部が、カーテンレールを両耳部の他方側へ弾性的に押圧する用に形成する。【選択図】        図１
2005143934.tif 000002
【特許請求の範囲】
【請求項１】
本体と、前記本体の底面に摺動可能に配設する爪体と、前記爪体を本体にねじ止め固定する固定ねじと、前記爪体に設けられて前記カーテンレール両耳部の一方側を掛け止め支持する爪体側耳受け部と、前記本体に設けられて前記カーテンレール両耳部の他方側を掛け止め支持する本体側耳受け部と、同じく前記本体に設けられて前記カーテンレール両耳部の一方側を掛け止め支持する仮止め耳受け部とからなり、前記仮止め耳受け部は、前記カーテンレールを両耳部の他方側へ弾性的に押圧することを特徴とするカーテンレール用ブラケット。
【請求項２】
本体側耳受け部は別体として形成され本体にねじ止めされることを特徴とする請求項１記載のカーテンレール用ブラケット。
【請求項３】
仮止め耳受け部は別体として形成され本体にねじ止めされることを特徴とする請求項１又は２記載のカーテンレール用ブラケット。
【請求項４】
爪体はカーテンレールに対して長手方向には直角に上下方向には斜めに摺動することを特徴とする請求項１ないし３のいずれか１つに記載のカーテンレール用ブラケット。
【請求項５】
本体の底面の中央部には固定ねじをねじ込むための鉛直な固定ねじ穴が、前記ねじ穴の後方には前記爪体をカーテンレールに対して斜め上方に滑らせる本体中央部傾斜面が、前記ねじ穴の前方両側には同じく前記爪体をカーテンレールに対して斜め上方に滑らせる本体側部傾斜面がそれぞれ設けられ、前記爪体の中央部には前記固定ねじを通すための長孔が、前記長孔の後方には前記本体中央部傾斜面と係合する爪体中央部傾斜面が、前記長孔の前方両側には前記本体側部斜面と係合する爪体側部傾斜面がそれぞれ設けられることを特徴とする請求項１ないし４のいずれか１つに記載のカーテンレール用ブラケット。
【請求項６】
爪体側耳受け部には、爪体が本体に固定されるとき、仮止め耳受け部を受け入れる凹部が設けられるをことを特徴とする請求項１ないし５のいずれか１つに記載のカーテンレール用ブラケット。
【発明の詳細な説明】
【技術分野】
【０００１】
本発明は、カーテンレールを取り付けるとき、始めに仮止めし、ついで固定するツータッチ操作のカーテンレール用ブラケットに関する。
【背景技術】
【０００２】
ブラケットにカーテンレールをワンタッチで仮止めし、その仮止めしたカーテンレールをワンタッチで固定するツータッチ操作のカーテンレール用ブラケットは、実開平４−４５４８１号公報に記載されている。そのブラケットは、本体と、その本体にカーテンレール長手方向に直角な水平方向に摺動自在に保持される爪体と、その爪体を仮止め位置及び固定位置に配置するカムと、そのカムに爪体を押しつけるバネとからなり、カーテンレールの両耳部の一方を本体に一体に設ける本体側耳受け部により、他方を爪体に設ける爪体側耳受け部により支持する方式である。
【０００３】
しかし、従来のブラケットは、カーテンレールを仮止めしたとき、カーテンレールは前後方向に遊動可能なため、仮止めしたカーテンレールは不安定であり、ブラケットから脱落し易いという問題があった。また、従来のブラケットは、カーテンレールを固定したとき、カーテンレールを前後方向に押圧して挟持するが、上下方向には押圧しないため、上下には遊動し易いという問題があった。
【特許文献１】実開平４−４５４８１号公報
【発明の開示】
【発明が解決しようとする課題】
【０００４】
本発明は、上記問題を解決するためになされたものであり、その課題は、ツータッチ操作のカーテンレール用ブラケットにおいて、仮止め時及び固定時のカーテンレールの安定性を向上することである。
【課題を解決するための手段】
【０００５】
前記課題を解決するため、本発明が採用する手段は、本体と、その本体の底面に摺動可能に設けられる爪体と、その爪体を本体にねじ止め固定する固定ねじと、爪体に設けられてカーテンレール両耳部の一方側を掛け止め支持する爪体側耳受け部と本体に設けられてカーテンレールの両耳部の他方側を掛け止め支持する本体側耳受け部と、同じく本体に設けられてカーテンレール両耳部の一方側を支持する仮止め耳受け部とからなるカーテンレール用ブラケットにおいて、仮止め耳受け部は、カーテンレールを両耳部の他方側へ弾性的に押圧するように形成することである。爪体は、カーテンレールに対して長手方向には直角に上下方向には斜めに摺動させることが好ましい。
【発明の効果】
【０００６】
本発明のカーテンレール用ブラケットは、爪体を弛めた状態又は外した状態でカーテンレールをブラケットに仮止めする。カーテンレールは、始めに、両耳部の一方側を仮止め耳受け部に掛け、ついで、両耳部の他方側を持ち上げて本体側耳受け部に掛けると、ブラケットに仮止めされた状態となる。このとき、仮止め耳受け部はカーテンレールを両耳部の他方側へ弾性的に押圧してカーテンレールの遊動を規制するから、仮止めするカーテンレールの安定性は良好である。
【０００７】
次に、固定ねじを締め付けて、カーテンレールをブラケットに固定する。固定ねじを締め付けると、爪体は、カーテンレールに対して長手方向には直角に上下方向には斜め上方に摺動し、爪体側耳受け部はカーテンレールを斜め上方に押圧する。このとき、水平方向分力は本体側耳受け部と共同してカーテンレールを前後から挟持し、鉛直方向分力は耳部を本体の底面に押し付けるから、カーテンレールの前後及び上下の遊動は共に規制される。したがって、固定時のカーテンレールの安定性は向上する。
【発明を実施するための最良の形態】
【０００８】
カーテンレール用ブラケット本体の底面中央部には固定ねじをねじ込むための鉛直なねじ穴を、そのねじ穴の後方には爪体をカーテンレールに対して長手方向には直角に上下方向には斜め上方に滑らせる本体中央部傾斜面を、ねじ穴の前方両側には同じく爪体をカーテンレールに対して長手方向には直角に上下方向には斜め上方に滑らせる本体側部傾斜面をそれぞれ設ける。爪体の中央部には固定ねじを通すための長孔を、その長孔の後方には本体中央部傾斜面と係合する爪体中央部傾斜面を、長孔の前方両側には本体側部斜面と係合する爪体側部傾斜面をそれぞれ設ける。
【０００９】
カーテンレール両耳部の一方側を掛け止め支持する爪体側耳受け部は、爪体と一体に設けると共に、仮止め耳受け部を受け入れる凹部を形成し、外観上、爪体が本体に固定されるとき、仮止め耳受け部が露出しないようにすることが好ましい。カーテンレールの両耳部の他方側を掛け止め支持する本体側耳受け部は、本体と一体とすることも可能であるが、本体が非板金製のときは、別体として形成し本体にねじ止めすることが好ましい。カーテンレール両耳部の一方側を掛け止め支持する仮止め耳受け部は、カーテンレールを両耳部の他方側へ弾性的に押圧するフック状弾性材であるから、別体として形成することが好ましいが、本体又は本体側耳受け部が弾性材であれば、本体又は本体側耳受け部と一体に形成することも可能である。
【実施例１】
【００１０】
本発明を、図面に示すカーテンレール用ブラケットの実施例に基づいて説明する。図１は実施例の部分断面側面図、図２は図３は実施例の前面図及び底面図、図４は本体の縦断面図、図５及び図６は爪体の拡大側面図及び拡大前面図、図７はカーテンレールの仮止め動作を示す図、図８はカーテンレールの固定動作を示す図である。
【００１１】
図１及び図２に示すように、カーテンレール用ブラケットの本体１は、壁面に固定される平板から丸棒が突出する形状であり、カーテンレール２は、本体１の底面側に取り付けられる。カーテンレール用ブラケットは、図１及び図３に示すように、本体１と、止めねじ３を介して本体１に固定される本体側耳受け部４と、同じく止めねじ３を介して本体１に固定される仮止め耳受け部５と、固定ねじ６を介して本体１に固定される爪体７とからなる。フック状の本体側耳受け部４は板金製であり、同じくフック状の仮止め耳受け部５は弾性合成樹脂製である。
【００１２】
カーテンレール２をブラケットに固定したとき、カーテンレール７の後側耳部８は、仮止め耳受け部５と爪体７に形成された爪体側耳受け部１０に掛け止め支持され、前側耳部９は本体側耳受け部４に掛け止め支持される。
【００１３】
図４に示すように、本体１の底面側には、仮止め耳受け部を着座させる水平な仮止め耳受け部用座面１１と爪体を着座させる水平な爪体用座面１２が形成される。爪体用座面１２は仮止め耳受け部用座面１１よりも下方に位置する。仮止め耳受け部用座面１１の両側には仮止め耳受け部と本体側耳受け部の側面に接する段状の側壁１３が、爪体用座面１２の両側には爪体の側面に接する爪体用側壁１４が設けられる。爪体用座面１２の後方には爪体をカーテンレールに対して長手方向には直角に上下方向には斜め上方に滑らせるための本体中央部傾斜面１５が設けられる。爪体用側壁１４の前面は、爪体をカーテンレールに対して長手方向には直角に上下方向には斜め上方に滑らせるための本体側部傾斜面１６に形成する。仮止め耳受け部用座面１１の中央には止めねじ用のねじ穴１７が、爪体用座面１２の中央には固定ねじ用のねじ穴１８がそれぞれ設けられる。
【００１４】
図５及び図６に示すように、爪体７は、本体の爪体用座面に接する水平な爪体上面１９を有し、その爪体上面１９を固定ネジを通すための前後方向の長孔２０が鉛直に貫通する。爪体上面１９の後方には本体中央部傾斜面と係合する爪体中央部傾斜面２１が、爪体上面１９の前部両側には本体側部傾斜面と係合する爪体側部傾斜面２２がそれぞれ形成される。爪体７の前面はフック状の爪体側耳受け部１０であり、その中央には仮止め耳受け部を収容する凹部２３が設けられる。
【００１５】
図７に示すように、ブラケットにカーテンレール２を仮止めするときは、始めに、固定ねじ６を緩める。爪体７は自重で本体中央部及び側部傾斜面に沿い斜め後方に下降し、爪体７の爪体側耳受け部１０は仮止め耳受け部５から離隔する。ついで、カーテンレール２の後側の耳部８を仮止め耳受け部５に掛ける。次に、矢印Ａで示すように、カーテンレール２の前部を持ち上げると、前側の耳部９が本体側耳受け部４に掛かり、カーテンレール２は本体側耳受け部４と仮止め耳受け部５により挟持され、図８に示す仮止め状態となる。このとき、仮止め耳受け部５は弾性変形してカーテンレール２を本体側耳受け部４へ押圧してカーテンレール２の前後方向の遊びを規制するから、仮止めしたカーテンレール２の安定性は良好である。
【００１６】
仮止めしたカーテンレール２をブラケットに固定するときは、固定ねじ６を締め込む。図８に矢印Ｂで示すように、爪体７は本体中央部及び側部傾斜面に沿い斜め前方へ上昇し、爪体７の爪体上面１９が本体１の爪体用座面１２に当接すると、図１に示す固定状態となる。このとき、仮止め耳受け部５は爪体７の凹部２３に入り、爪体側耳受け部１０は仮止め耳受け部５の両側においてカーテンレール２の後側耳部８を斜め前方に押し上げるから、その水平方向分力は本体側耳受け部４と共同してカーテンレール２を前後から挟持し、鉛直方向分力は耳部８を本体１の仮止め耳受け部座面１１の両側壁１３に押し付けるから、カーテンレール２の前後及び上下の遊びは共に規制される。したがって、固定したカーテンレール２の安定性は良好である。
【図面の簡単な説明】
【００１７】
【図１】実施例の部分断面側面図、
【図２】実施例の前面図、
【図３】実施例の底面図、
【図４】本体の縦断面図、
【図５】爪体の拡大側面図、
【図６】爪体の拡大前面図、
【図７】カーテンレールの仮止め動作を示す図、
【図８】カーテンレールの固定動作を示す図。
【符号の説明】
【００１８】
１：本体
２：カーテンレール
３：止めねじ
４：本体側耳受け部
５：仮止め耳受け部
６：固定ねじ
７：爪体
８、９：耳部
１０：爪体側耳受け部
１１：仮止め耳受け部座面
１２：爪体座面
１３：側壁
１４：爪体用側壁
１５：本体中央部傾斜面
１６：本体側部傾斜面
１７：止めねじ穴
１８：固定ねじ穴
１９：爪体上面
２０：長孔
２１：爪体中央部傾斜面
２２：爪体側部傾斜面
２３：凹部
【図１】
2005143934.tif 000003
【図２】
2005143934.tif 000004
【図３】
2005143934.tif 000005
【図４】
2005143934.tif 000006
【図５】
2005143934.tif 000007
【図６】
2005143934.tif 000008
【図７】
2005143934.tif 000009
【図８】
2005143934.tif 000010